(57)【要約】【課題】左右一対の両眼視できる虚像表示装置において、左右一対の映像素子へ信号送信するケーブルを一本化することを可能としつつ、装置全体をコンパクトにできる虚像表示装置を提供すること。【解決手段】左右に配置された一対の映像表示素子８２に映像信号を送信するケーブルＣＢを、左右一対の導光装置２０を支持するフレーム１０７に沿って配線することで、左右のうちいずれか一方にケーブルＣＢを集約できる、すなわちケーブルを一本化することを可能とすることができる。この際に、カバーインサイド１０８のうちフレーム１０７に沿って延びるケーブルカバー部１０８ａにケーブルＣＢを収納することで、ケーブル配線に伴う大型化を抑制して装置全体をコンパクトにできる。【選択図】図４
2015126336.tif 000002
【特許請求の範囲】
【請求項１】
映像光を生じさせる左右一対の映像素子と、
前記左右一対の映像素子からの映像光をそれぞれ導光する左右一対の導光部材と、
前記左右一対の導光部材を支持するフレームと、
前記左右一対の映像素子に信号を出力するケーブルと、
前記ケーブルを覆うカバーと、
を備え、
前記カバーは、前記フレームに沿って延びるとともに前記フレームに係合して、前記左右一対の導光部材の並ぶ方向に沿って前記ケーブルを収納しつつ配線するケーブルカバー部を有する、虚像表示装置。
【請求項２】
前記フレームと、前記カバーの前記ケーブルカバー部とは、前記ケーブルを配線する方向に沿って延びる構造を有する、請求項１に記載の虚像表示装置。
【請求項３】
前記カバーにおいて、前記ケーブルカバー部は、前記ケーブルの収納部として前記フレームに沿って延びるＵ字形状の収納溝部を有する、請求項１及び２のいずれか一項に記載の虚像表示装置。
【請求項４】
前記フレームは、金属製、プラスチック製またはカーボン製であり、前記カバーは、樹脂製である、請求項１から３までのいずれか一項に記載の虚像表示装置。
【請求項５】
前記フレームは、相対的に観察者の眼の位置として想定される位置から遠い側に配置され、前記前記ケーブルカバー部は、相対的に観察者の眼の位置として想定される位置に近い側に配置される、請求項１から４までのいずれか一項に記載の虚像表示装置。
【請求項６】
前記フレームは、相対的に白色系であり、前記カバーは、相対的に黒色系である、請求項５に記載の虚像表示装置。
【請求項７】
前記カバーは、前記ケーブルカバー部と、前記ケーブルカバー部の両端から延びて左右一対の光学系のうち少なくとも前記左右一対の映像素子を収納する左右一対の光学系カバー部とを一体的に有する、請求項１から６までのいずれか一項に記載の虚像表示装置。
【請求項８】
前記導光部材に貼り合せることで外界光と映像光とを重複して視認させる光透過部材をさらに備える、請求項１から７までのいずれか一項に記載の導光装置。
【請求項９】
前記導光部材は、前記複数の光学面として４面以上の面を含み、前記複数の光学面のうち第１面と第３面とは、対向するように配置され、
前記映像素子からの映像光は、前記第３面で全反射され、前記第１面で全反射され、第２面で反射された後、前記第１面を透過して、観察側に到達し、
前記導光部材において、前記第１面と前記第３面とは、互いに略平行な平面である、請求項１から８までのいずれか一項に記載の導光装置。
【発明の詳細な説明】
【技術分野】
【０００１】
本発明は、画像表示素子等によって形成された映像を観察者に提示するヘッドマウントディスプレイに好適な虚像表示装置に関する。
【背景技術】
【０００２】
観察者の頭部に装着するヘッドマウントディスプレイ（以下、ＨＭＤとも言う）等の虚像表示装置に組み込まれる光学系として様々なものが提案されている（例えば、特許文献１参照）。
【０００３】
ＨＭＤ等の虚像表示装置のうち、特に、右眼用の画像と左眼用の画像とをそれぞれ形成させて画像させる場合（特許文献１参照）、映像信号等の各種信号を送信（出力）するケーブルが、左右それぞれに引き出される態様すなわち２本のケーブルが左右一対で形成される態様が考えられる。
【０００４】
しかしながら、虚像表示装置の装着の容易性や取扱いの利便性の観点からは、２本のケーブルが左右にある状態ではなく、ケーブルが一本化されている、すなわちケーブルの出所が１箇所に集約されていることが望ましい。一方、ケーブルを一本化する場合であっても、装置の小型化及び軽量化を図りたいという要請がある。
【０００５】
なお、ＨＭＤ等の虚像表示装置については、小型化及び軽量化を進展させつつ、画質を低下させないで広画角化を達成することが望まれている。また、例えば外界と映像を重ねて見せるシースルーとすることによって、仮想現実の様な新しい用途が生み出される。つまり、外界の視界を妨げず、映像光を重ねて表示することが可能なディスプレイが望まれている。このような状況下では、ケーブルの配置が装置の大型化につながらないようになっていることや、利用者（観察者）にとって煩わしくならないものとなっていることが非常に重要となる。
【先行技術文献】
【特許文献】
【０００６】
【特許文献１】特開２０１３−２００５５３号公報
【発明の概要】
【０００７】
本発明は、左右一対の両眼視できる虚像表示装置において、左右一対の映像素子へ信号送信するケーブルを一本化することを可能としつつ、装置全体をコンパクトにできる虚像表示装置を提供することを目的とする。
【０００８】
本発明に係る虚像表示装置は、映像光を生じさせる左右一対の映像素子と、左右一対の映像素子からの映像光をそれぞれ導光する左右一対の導光部材と、左右一対の導光部材を支持するフレームと、左右一対の映像素子に信号を出力するケーブルと、ケーブルを覆うカバーと、を備え、カバーは、フレームに沿って延びるとともにフレームに係合して、左右一対の導光部材の並ぶ方向に沿ってケーブルを収納しつつ配線するケーブルカバー部を有する。
【０００９】
上記虚像表示装置では、左右に配置された一対の映像素子に例えば映像信号等の各種信号を出力するケーブルを、左右一対の導光部材を支持するフレームに沿って配線することで、左右のうちいずれか一方にケーブルの出所を集約できる、すなわちケーブルを一本化することを可能とすることができる。この際に、カバーのうちフレームに沿って延びるケーブルカバー部にケーブルを収納することで、ケーブル配線に伴う大型化を抑制して装置全体をコンパクトにできる。
【００１０】
本発明の具体的な側面では、フレームと、カバーのケーブルカバー部とは、ケーブルを配線する方向に沿って延びる構造を有する。この場合、例えばフレームとケーブルカバー部とが嵌合構造を有することで、フレームとケーブルカバー部とを協働させて、ケーブルの周辺における防塵や防水を確実に行うことができる。
【００１１】
本発明の別の側面では、カバーにおいて、ケーブルカバー部は、ケーブルの収納部としてフレームに沿って延びるＵ字形状の収納溝部を有する。この場合、収納溝部がＵ字形状を有することで、ケーブルを確実に収納させることができる。
【００１２】
本発明のさらに別の側面では、フレームは、金属製、プラスチック製またはカーボン製であり、カバーは、樹脂製である。ここで、金属製のフレームについては、例えばアルミのほか、チタンやマグネシウム等が利用可能である。また、カーボン製のフレームについては、例えばカーボン織布を積層し、接着剤で固化したコンポジットカーボンが利用可能である。つまり、コンポジットカーボンを切削加工することで、フレームを作製できる。また、プラスチック（高剛性グレード）でフレームを作製することも可能である。この場合、フレームには十分な強度を持たせることができ、カバーには、ある程度の可撓性をもたせることで、ケーブル等の部品の組付けに際して、例えばケーブルを押し込むことで収納し固定させるといったことが可能になる。
【００１３】
本発明のさらに別の側面では、フレームは、相対的に観察者の眼の位置として想定される位置から遠い側に配置され、ケーブルカバー部は、相対的に観察者の眼の位置として想定される位置に近い側に配置される。この場合、カバーのケーブルカバー部とフレームとを係合又は嵌合させる箇所を、フレームやケーブルカバー部の長手方向に沿った方向に延びるように形成させることができ、ケーブルの組み付けを行いやすくすることができる。また、フレームとケーブルカバー部とのうち、フレームを外観的に見やすい側、すなわち露出が大きい側にすることができる。
【００１４】
本発明のさらに別の側面では、フレームは、相対的に白色系であり、カバーは、相対的に黒色系である。この場合、フレーム側を外観的に比較的見やすい側に位置させるものであって、例えばケーブルカバー部を多少大きくする必要が生じた場合であっても、色の対比効果によって視覚的に装置が大きくなった印象を与えることを抑制させることができる。
【００１５】
本発明のさらに別の側面では、カバーは、ケーブルカバー部と、ケーブルカバー部の両端から延びて左右一対の光学系のうち少なくとも左右一対の映像素子を収納する左右一対の光学系カバー部とを一体的に有する。この場合、カバーにおいて、ケーブルカバー部と左右一対の光学系カバー部とが１つに纏まっているため、例えばケーブルカバー部と光学系カバー部とを組み付けるための部材を減らすことができ、また、つなぎ目のない一体型とすることで、デザイン性を高めることができる。
【００１６】
本発明のさらに別の側面では、導光部材に貼り合せることで外界光と映像光とを重複して視認させる光透過部材をさらに備える。この場合、導光部材と光透過部材とによって、外界光と映像光とを重畳させたシースルーの状態とすることが可能になる。
【００１７】
本発明のさらに別の側面では、導光部材は、複数の光学面として４面以上の面を含み、複数の光学面のうち第１面と第３面とは、対向するように配置され、映像素子からの映像光は、第３面で全反射され、第１面で全反射され、第２面で反射された後、第１面を透過して、観察側に到達し、導光部材において、第１面と第３面とは、互いに略平行な平面である。この場合、第１面と第３面とを透過して観察される外界光について視度誤差を略ゼロとすることができ、特に、外界像についての見かけの倍率誤差を略ゼロにし、裸眼状態に近い状態することができる。
【図面の簡単な説明】
【００１８】
【図１】本発明の一実施形態である虚像表示装置の外観を簡単に説明する斜視図である。
【図２】虚像表示装置から外装部材を取り除いた内部構造を示す斜視図である。
【図３】（Ａ）は、虚像表示装置の外観を示す平面図であり、（Ｂ）は、正面図であり、（Ｃ）は、側面図である。
【図４】虚像表示装置のうち、中央部分における側断面図である。
【図５】（Ａ）は、カバーインサイドの正面図であり、（Ｂ）は、平面図であり、（Ｃ）は、底面図であり、（Ｄ）は、左側面図であり、（Ｅ）は、右側面図である。
【図６】（Ａ）は、カバーインサイドにケーブルを配線させた状態を示す斜視図であり、（Ｂ）は、（Ａ）の状態に導光装置及び投射レンズが固定されたフレームを組み付けた様子を示す図である。
【図７】虚像表示装置のうち導光装置及び投射レンズのフレームへの固定の様子を示す分解斜視図である。
【図８】（Ａ）は、カバーインサイドにケーブルを配線させない状態で他の光学系を組み付けた状態を示す正面図であり、（Ｂ）は、側面図であり、（Ｃ）は、カバーインサイドにケーブルを配線させた状態で他の光学系を組み付けた状態を示す正面図であり、（Ｄ）は、側面図である。
【図９】虚像表示装置における映像光の光路について示す図である。
【発明を実施するための形態】
【００１９】
以下、図１等を参照しつつ、本発明に係る導光装置及び導光装置を含む虚像表示装置の一実施形態について詳細に説明する。
【００２０】
図１に示すように、本実施形態の導光装置を含む虚像表示装置１００は、眼鏡のような外観を有し左右一対の両眼視ができるヘッドマウントディスプレイであり、この虚像表示装置１００を装着した観察者又は使用者に対して虚像による画像光（映像光）を視認させることができるとともに、観察者に外界像をシースルーで視認又は観察させることができる。
【００２１】
虚像表示装置１００は、観察者の眼前を透視可能に覆う第１及び第２光学部材１０１ａ，１０１ｂと、両光学部材１０１ａ，１０１ｂを支持する枠部１０２と、枠部１０２の左右両端から後方のつる部分（テンプル）１０４にかけての部分に付加された第１及び第２像形成本体部１０５ａ，１０５ｂとを備える。ここで、図面上で左側の第１光学部材１０１ａと第１像形成本体部１０５ａとを組み合わせた第１表示装置１００Ａは、右眼用の虚像を形成する部分であり、単独でも虚像表示装置として機能する。なお、虚像表示装置１００は、撮像動作可能な小型のカメラＣＡを側方部分に有し、さらに、カメラＣＡが動作中であることを示すための表示ランプＬＭをカメラＣＡの近くに有している。また、図面上で右側の第２光学部材１０１ｂと第２像形成本体部１０５ｂとを組み合わせた第２表示装置１００Ｂは、左眼用の虚像を形成する部分であり、単独でも虚像表示装置として機能する。
【００２２】
図２は、虚像表示装置１００の内部構造を示しており、図２を図１と比較することで、虚像表示装置１００の外観と内部とが対比される。例えば、第１及び第２像形成本体部１０５ａ，１０５ｂは、鏡筒部３９に収納される投射レンズ３０や、映像表示素子（映像素子）８２を含む左右一対の画像表示装置８０でそれぞれ構成される。
【００２３】
図１から図４までの各図において外観や内部を示すように、虚像表示装置１００に設けた枠部１０２は、上端側に配置されるフレーム１０７と、フレーム１０７に沿ってその裏側に配置されるケーブルカバー部１０８ａを含むカバーであるカバーインサイド１０８とを備える。カバーインサイド１０８を構成するケーブルカバー部１０８ａは、中央において眼の並ぶ横方向に沿って延びるように配置されている。さらに、ケーブルカバー部１０８ａは、例えば可撓性を有する樹脂性材料の部材であり、詳しくは後述するが、内部にケーブルを収納しつつこれを覆って、左眼側から右眼側への（あるいはその逆向きへの）ケーブル配線を可能とし、ケーブルの信号発信元を１箇所に集約している。本実施形態では、左眼側にケーブルの端部（すなわち送信源等の他部材への繋ぎ先）を１箇所に集約するものを例示する。
【００２４】
虚像表示装置１００は、下側に、枠状の部分のない構成となっている。枠部１０２を構成するフレーム１０７は、Ｕ字状に折れ曲がった細長い板状の部材であり、観察者にとっての眼の並びに対応する方向である左右の横方向に延びる正面部１０７ａと、観察者にとっての前後に対応する方向である奥行き方向に延びる一対の側面部１０７ｂ，１０７ｃとを備える。フレーム１０７、すなわち正面部１０７ａと側面部１０７ｂ，１０７ｃとは、例えばアルミダイカストその他の各種金属材料で形成された金属製の一体部品またはコンポジットカーボンの一体部品である。フレーム１０７の材料については、例えば金属製のフレーム１０７の場合、アルミのほか、チタンやマグネシウム等が利用可能である。また、例えばカーボン織布を積層し、接着剤で固化したコンポジットカーボンを切削加工することでカーボン製のフレーム１０７を作製することも可能である。また、プラスチック（高剛性グレード）でフレーム１０７を作製することも可能である。樹脂部であるカバーインサイド１０８を構成するケーブルカバー部１０８ａは、フレーム１０７に沿ってフレーム１０７よりも内側すなわち観察者に近い側に配置され、フレーム１０７と係合可能となっている。特に、ここでは、ケーブルカバー部１０８ａは、フレーム１０７に嵌合する、すなわちフレーム１０７とカバーインサイド１０８とが嵌合構造を有することでこれと協働して例えば画像形成のための各種ケーブルを収納可能にしている。フレーム１０７において、正面部１０７ａ及びケーブルカバー部１０８ａの奥行き方向の幅は、第１及び第２光学部材１０１ａ，１０１ｂに対応する導光装置２０の厚み又は幅と同程度となっている。フレーム１０７の左側方、具体的には正面部１０７ａにおける向かって左端部から側面部１０７ｂにかけての部分には、第１光学部材１０１ａと第１像形成本体部１０５ａとがアライメントされ例えばネジ止めによって直接固定されることにより、支持されている。また、フレーム１０７の右側方、具体的には正面部１０７ａにおける向かって右端部から側面部１０７ｃにかけての部分には、第２光学部材１０１ｂと第２像形成本体部１０５ｂとがアライメントされ例えばネジ止めにより直接固定されることによって、支持されている。なお、第１光学部材１０１ａと第１像形成本体部１０５ａとは、嵌合によって互いにアライメントされ、第２光学部材１０１ｂと第２像形成本体部１０５ｂとは、嵌合によって互いにアライメントされる。
【００２５】
枠部１０２を構成するフレーム１０７及びカバーインサイド１０８は、第１及び第２像形成本体部１０５ａ，１０５ｂを支持するだけでなく、これらを覆うカバー状の外装部材１０５ｄと協働して第１及び第２像形成本体部１０５ａ，１０５ｂの内部を保護する役割を有する。なお、フレーム１０７は、第１及び第２像形成本体部１０５ａ，１０５ｂに連結される第１及び第２光学部材１０１ａ，１０１ｂ又は左右一対の導光装置２０の根元側を除いた上側部分と離間するか又は緩く接している。このため、中央の導光装置２０と、フレーム１０７を含む枠部１０２との間に熱膨張率の差があっても、枠部１０２内での導光装置２０の膨張が許容され、導光装置２０に歪み、変形、破損が生じることを防止できる。
【００２６】
カバーインサイド１０８は、中央部１０８ｋに配置される既述のケーブルカバー部１０８ａと、ケーブルカバー部１０８ａの両端から延びる左右の周辺部１０８ｒ，１０８ｐにそれぞれ配置される一対の光学系カバー部１０８ｄとを有するカバーである。なお、カバーインサイド１０８は、例えば射出成形によって一体的に成形された樹脂製の部材である。カバーインサイド１０８において、ケーブルカバー部１０８ａと左右一対の光学系カバー部１０８ｄとが１つに纏まっているため、例えばケーブルカバー部１０８ａと光学系カバー部１０８ｄとを組み付けるための部材を減らすことができ、また、つなぎ目のない一体型とすることで、デザイン性を高めることができる。
【００２７】
光学系カバー部１０８ｄは、左右一対の光学系である第１及び第２像形成本体部１０５ａ，１０５ｂを収納する。具体的には、光学系カバー部１０８ｄは、第１像形成本体部１０５ａを構成する画像表示装置８０と投射レンズ３０を内側から支持して、カバー状の外装部材１０５ｄと協働して第１及び第２像形成本体部１０５ａ，１０５ｂの内部を保護する役割を有する。
【００２８】
また、枠部１０２に付随して、鼻受部４０が設けられている。鼻受部４０は、観察者の鼻に当接することによって枠部１０２を支持する役割を有する。つまり、枠部１０２は、鼻に支持される鼻受部４０と耳に支持される一対のテンプル部１０４とによって、観察者の顔前に配置されることになる。鼻受部４０は、枠部１０２を構成する一方のフレーム１０７の正面部１０７ａにおいて、ねじ止めによって固定されている（詳しくは後述する。）。なお、以上のように図１を参照して示す外観は、一例であり、例えばねじ止めによって固定される機構等の光学的機構として直接関与しない箇所等については、適宜設計を変更することが可能である。
【００２９】
図２等に示すように、第１表示装置１００Ａは、投影用の光学系である投射透視装置７０と、映像光を形成する画像表示装置８０とを備えると見ることができる。投射透視装置７０は、画像表示装置８０によって形成された画像を虚像として観察者の眼に投射する役割を有する。投射透視装置７０は、第１光学部材１０１ａ又は導光装置２０と、結像用の投射レンズ３０とを備える。第１光学部材１０１ａ又は導光装置２０は、導光及び透視用の導光部材１０と、透視用の光透過部材５０とで構成されている。なお、第１像形成本体部１０５ａは、画像表示装置８０と投射レンズ３０とで構成される。また、レンズ群で構成される投射レンズ３０は、鏡筒部３９によって収納されるとともに、鏡筒部３９の端部３９ｔにおいて、嵌合により導光装置２０と精度よく位置決めされた状態で固定されている。
【００３０】
画像表示装置８０は、透過型の空間光変調装置である映像表示素子（映像素子）８２のほか、後に詳述するが、映像表示素子８２へ照明光を射出するバックライトである照明装置（不図示）や、映像表示素子８２等の動作を制御する駆動制御部（不図示）を有する。
【００３１】
導光装置２０は、既述のように、導光及び透視用の導光部材１０と、透視用の光透過部材５０とで構成されている。導光部材１０は、プリズム型の導光装置２０の一部であり、一体の部材であるが、光射出側の第１導光部分１１と光入射側の第２導光部分１２とに分けて捉えることができる。光透過部材５０は、導光部材１０の透視機能を補助する部材（補助光学ブロック）であり、導光部材１０と一体的に固定され１つの導光装置２０となっている。上記のような構成を有する導光装置２０のうち、光源側（根元側）に位置する先端部１２ｊが鏡筒部３９の端部３９ｔに嵌合することで、投射レンズ３０に精度よく位置決め固定されている。
【００３２】
なお、例えば図１や図２或いは図３（Ａ）〜３（Ｃ）に示すように、導光装置２０を構成する光学面のうち、表側（外側）の露出面である第１露出面２０ａや裏側（内側）の露出面である第２露出面２０ｂは、外部にさらされ、かつ、シースルーの機能に影響する部分である。第１露出面２０ａは、導光部材１０の光学面のうち第３面Ｓ１３と、光透過部材５０の光学面である第３透過面Ｓ５３とで構成され、第２露出面２０ｂは、導光部材１０の光学面のうち第３面Ｓ１１及び第４面Ｓ１４と、光透過部材５０の光学面のうち第１透過面Ｓ５１とで構成されている。
【００３３】
図３（Ａ）等に示すように、枠部１０２を構成するフレーム１０７とカバーインサイド１０８との配置については、相対的に前方側にフレーム１０７があり、相対的に後方側にカバーインサイド１０８のケーブルカバー部１０８ａが配置されている。言い換えると、相対的に観察者の眼の位置として想定される位置から遠い側に金属製のフレーム１０７が配置され、相対的に観察者の眼の位置として想定される位置に近い側に樹脂製のケーブルカバー部１０８ａが配置されている。さらに配色について、フレーム１０７を例えば白色系の塗装で形成する一方、ケーブルカバー部１０８ａを黒色系の塗装をする或いは黒色系の材料で形成することができる。こうすることで、例えば収納するケーブルの大きさの都合等により、ケーブルカバー部１０８ａを多少大きくする必要が生じた場合において、視覚的に装置が大きくなった印象を与えることを抑制させることができる。
【００３４】
以下、図４等を参照して、ケーブルＣＢを組み込んだ枠部１０２の構造等について説明する。図４は、ケーブルＣＢが組み込まれた状態の虚像表示装置１００を、中央部分について切断した側断面図である。図示のように、枠部１０２において、カバーインサイド１０８を構成するケーブルカバー部１０８ａは、フレーム１０７に沿って延びるとともにフレーム１０７に係合して、左右一対の導光装置２０の並ぶ方向に沿ってケーブルＣＢを収納しつつ配線させている。このため、ケーブルカバー部１０８ａは、ケーブルＣＢのうち、特に左側から右側へ（あるいはその逆方向へ）渡される部分である連結用ケーブル部ＣＢａ（図４または図６（Ａ）参照）を収納可能とするための収納溝部１０８ｃを有している。収納溝部１０８ｃは、断面視においてＵ字形状となっている。このケーブルＣＢは、画像形成に必要な信号の出力用のケーブル等を含む配線ケーブルであり、例えば、観察者が指示を出すコントローラ（不図示）からの画像信号のほか、カメラＣＡや表示ランプＬＭ（図１等参照）に対しても適宜信号の送受信をする配線ケーブルとして機能する。ケーブルＣＢは、複数の芯線等を有し可撓性のある部材（変形可能な部材）で最外部を形成しており、例えば樹脂製のケーブルカバー部１０８ａに押し込まれることで連結用ケーブル部ＣＢａが若干変形しつつ、収納溝部１０８ｃ内に固定されフレーム１０７に沿った状態で収納される。
【００３５】
以下、図４に示すケーブルカバー部１０８ａ以外の枠部１０２の周辺の構造として、枠部１０２に付随して設けられている鼻受部４０について説明する。鼻受部４０は、枠部１０２のフレーム１０７の正面部１０７ａの中央部１０７ｇにねじ止めによって固定されて、下方に延びている。鼻受部４０は、中央上部の被固定部４３と、上下に延びる一対の長さ調整部材と、調整部材の先端に形成されたパッド部とを有する。被固定部４３は、鼻受部４０をフレーム１０７に安定して固定するための部分となっている。被固定部４３において部分的に露出する芯金４０ａは、フレーム１０７の中央部１０７ｇと、カバーインサイド１０８の中央部に設けた接続部（接続領域）１０８ｇの頂部ＣＨとの間に挟まれ、正面部１０７ａのねじ孔１０７ｒにねじ込まれたねじ１０７ｓによって共締めされて固定されている。枠部１０２において、収納溝部１０８ｃ等のケーブルＣＢの配線のための構造は、以上のような鼻受部４０等の周辺構造に対して影響しない位置に形成されていることになる。
【００３６】
以下、図５（Ａ）等を参照して、ケーブルＣＢが組み付けられるカバーインサイド１０８の構造の詳細について説明する。なお、カバーインサイド１０８は、既述のように射出成形によって一体的に成形された樹脂製の部材であるが、既述のように、機能等の面から３つの部分に分けて捉えることができる。すなわち、図５（Ａ）〜５（Ｅ）の各図に示す通り、カバーインサイド１０８は、ケーブルＣＢを左眼側から右眼側に渡すためのケーブルカバー部１０８ａを含む中央部１０８ｋと、左右の光学系を収納するための光学系カバー部１０８ｄを含む左右一対の周辺部１０８ｒ，１０８ｐとで構成される。このうち、中央部１０８ｋは、両端に配置される周辺部１０８ｒ，１０８ｐの間に設けられてこれらを繋ぐブリッジ部の役目も果たす。また、中央部１０８ｋには、ケーブルカバー部１０８ａのほか、鼻受部４０の組み付けを可能にするための接続部１０８ｇが真ん中において突出する平板状に設けられている。また、左右一対の周辺部１０８ｒ，１０８ｐには、既述の一対の光学系カバー部１０８ｄのほか、光学系カバー部１０８ｄを支持するとともに観察者に近接する内側の表面部分を形成する側壁部１０８ｍ，１０８ｎが設けられている。なお、側壁部１０８ｍ，１０８ｎは、フレーム１０７の側面部１０７ｂ，１０７ｃ（図１参照）に嵌合する。また、一対の光学系カバー部１０８ｄは、例えば上面部１０８ｅと、側面部１０８ｔと、底面部１０８ｆとをそれぞれ有して、投射レンズ３０を収納する鏡筒部３９を支持固定する鏡筒部カバー部として機能する。
【００３７】
また、カバーインサイド１０８は、ケーブルＣＢの配線（図６（Ａ）等参照）をより確実なものとするために、種々の構造を有している。例えば図５（Ａ）等に示すように、ケーブルカバー部１０８ａは、ケーブルＣＢを収納するためのＵ字形状の収納溝部１０８ｃを有するとともに、収納溝部１０８ｃの先端部には、フレーム１０７（図３（Ａ）等参照）に向かって延びることで、カバーインサイド１０８をフレーム１０７のうち観察者の顔側に突き出した凸状のリブ１０７ｘ（図４参照）に嵌合させるための嵌合部１０８ｙが形成されている。すなわち、フレーム１０７とカバーインサイド１０８とが嵌合構造を有するものとなっている。このような嵌合構造を有することで、枠部１０２の内部についての防塵や防水を図ることが可能となる。また、一対の周辺部１０８ｒ，１０８ｐには、ケーブルＣＢを配線させるためのガイド溝１０８ｘが形成されている。ケーブルＣＢは、ケーブルカバー部１０８ａやガイド溝１０８ｘに沿って配線されることで、装置を大きくしたり、画像形成やシースルーに影響を与えることなく収納されるものとなっている。
【００３８】
以上のような構造を有することで、例えば図６（Ａ）に示すように、カバーインサイド１０８は、ケーブルＣＢを確実に収納するとともに固定させることができる。これに対して、例えば、図７を参照して後述するように、光学系の組付けに関しては、フレーム１０７に対する導光装置２０や投射レンズ３０等の組付けがケーブルＣＢとは個別に可能となっている。このため、図６（Ｂ）に示すようなケーブルＣＢと光学系とを含む内部構造の組付けについては、まず、図６（Ａ）に示すように、カバーインサイド１０８にケーブルＣＢを組み付け、これとは別途フレーム１０７に対して導光装置２０等の光学系を組み付けした後に、ケーブルＣＢが組み付けられたカバーインサイド１０８と、導光装置２０等の光学系が組み付けられたフレーム１０７とを嵌合させ、最後に画像表示装置８０等に対してケーブルＣＢの各端部を繋げればよい。なお、図６に示すように、本実施形態ではケーブルＣＢの先を左眼側のケーブル固定部ＣＲの１箇所となるように集約させている。
【００３９】
以下、図７を参照して、導光装置２０や投射レンズ３０等で構成される第１表示装置１００Ａのフレーム１０７への組付けについて説明する。第１像形成本体部１０５ａを構成する投射レンズ３０は、これを収納する鏡筒部３９に埋め込むように形成された取付部３９ｇを利用してフレーム１０７の側方端部６５ａ（又は側面部１０７ｂの金属部分）に設けた第１固定部６１ｆに直接固定されている。このような固定の際、第１固定部６１ｆの裏面６８ｆと取付部３９ｇの上端面３９ｆ等とが当接してアライメントが達成され、孔６１ｓにネジ３９ｓをねじ込むことで着脱可能で確実な固定が可能になる。この際、フレーム１０７のボス孔（不図示）に鏡筒部３９に設けたボス３９ｘが嵌合して鏡筒部３９の回転が規制され回転に関する位置決めも行われる。一方、第１光学部材１０１ａである導光装置２０は、そのネック部又は段差部に形成された取付部１０ｇを利用して、フレーム１０７の側方端部６５ａ（又は側面部１０７ｂの金属部分）に設けた第２固定部６１ｅに直接固定されている。取付部１０ｇは、導光装置２０の入射側又は光入射側の部分、具体的には第１導光部分１１と第２導光部分１２との境界周辺において第１導光部分１１の角部を利用して設けられている。このような固定の際、第２固定部６１ｅの前側部分に設けた突当て面６８ｅと取付部１０ｇの裏面１０ｋとが当接してアライメントが達成され、ネジ孔１０ｕを介してネジ孔６１ｕにネジ６１ｖをねじ込むことで着脱可能で確実な固定が可能になる。
【００４０】
以下、図８を参照して、上述したケーブルＣＢの組付けの外観的特徴について説明する。まず、図８（Ａ）及び８（Ｂ）は、仮にケーブルＣＢを組み込まなかったものとした場合における内部構造の組付けの図であり、図８（Ｃ）及び８（Ｄ）は、ケーブルＣＢを組み込んだ場合における内部構造の組付けの図である。図示のように、ケーブルＣＢは、ケーブルカバー部１０８ａやガイド溝１０８ｘに沿って配線されている。これにより、図８（Ａ）等と比較しても明らかなように、ケーブルＣＢの有無によって装置を大きくしたり、外観上に影響を与えたりすることがほとんどないものとなっている。また、ケーブルＣＢは。画像形成やシースルーに影響を与えたりすることなく収納されるものとなっている。
【００４１】
以下、図９を参照して、虚像表示装置１００の光学的な構成について詳細に説明する。このための前提として、まず、第１像形成本体部１０５ａ（図１参照）を構成する画像表示装置８０と投射レンズ３０とについて詳細に説明する。
【００４２】
画像表示装置８０は、上述した映像表示素子８２のほかに、図示のように、映像表示素子８２に対して照明光を射出する照明装置８１と、照明装置８１及び映像表示素子８２の動作を制御する駆動制御部８４とを有する。
【００４３】
画像表示装置８０の照明装置８１は、赤、緑、及び青の３色を含む光を発生する光源や、この光源からの光を拡散させて矩形断面の光束にするバックライト導光部を有する。映像表示素子（映像素子）８２は、例えば液晶表示デバイスで形成され、複数の画素で構成されており、照明装置８１からの照明光を空間的に変調して動画像等の表示対象となるべき画像光を形成する。なお、図示を省略するが、駆動制御部８４は、照明装置８１に電力を供給して安定した輝度の照明光を射出させる光源駆動回路や、映像表示素子（映像素子）８２に対して画像信号又は駆動信号を出力することにより、透過率パターンとして動画や静止画の元になるカラーの映像光又は画像光を形成する液晶駆動回路で構成される。なお、液晶駆動回路に画像処理機能を持たせることができるが、外付けの制御回路に画像処理機能を持たせることもできる。
【００４４】
投射レンズ３０は、構成要素として、入射側光軸に沿って３つの光学素子（レンズ）３１〜３３を備える投射光学系であり、これらの光学素子３１〜３３を収納する鏡筒部３９によって支持されている。光学素子３１〜３３は、非軸対称な非球面（非軸対称非球面）と軸対称な非球面（軸対称非球面）との双方を含む非球面レンズであり、導光部材１０の一部と協働して導光部材１０の内部に映像表示素子８２の表示像に対応する中間像を形成する。なお、各レンズ（光学素子）３１〜３３のうち、第１レンズ３１の光の射出面であるレンズ面３１ａは、非軸対称非球面となっており、レンズ面３１ａ以外のレンズ面については、軸対称非球面となっている。
【００４５】
以下、導光装置２０等について詳細に説明する。上述のように、導光装置２０は、導光部材１０と光透過部材５０とで構成されている。このうち、導光部材１０は、平面視において、鼻に近い中央側（眼前側）の部分が直線状に延びている。導光部材１０のうち、鼻に近い中央側つまり光射出側に配置されている第１導光部分１１は、光学的な機能を有する側面として、第１面Ｓ１１と、第２面Ｓ１２と、第３面Ｓ１３とを有し、鼻から離れた周辺側つまり光入射側に配置されている第２導光部分１２は、光学的な機能を有する側面として、第４面Ｓ１４と、第５面Ｓ１５とを有する。このうち、第１面Ｓ１１と第４面Ｓ１４とが連続的に隣接し、第３面Ｓ１３と第５面Ｓ１５とが連続的に隣接する。また、第１面Ｓ１１と第３面Ｓ１３との間に第２面Ｓ１２が配置され、第４面Ｓ１４と第５面Ｓ１５とは大きな角度を成して隣接している。さらに、ここでは、対向した配置となっている第１面Ｓ１１と第３面Ｓ１３とが互いに略平行な平面形状となっている。一方、光学的な機能を有する他の面、すなわち第２面Ｓ１２、第４面Ｓ１４及び第５面Ｓ１５は、非軸対称な曲面（自由曲面）となっている。なお、既述のように、第３面Ｓ１３は、第１露出面２０ａを構成し、第３面Ｓ１１及び第４面Ｓ１４は、第２露出面２０ｂを構成している。
【００４６】
なお、導光装置２０において、導光部材１０は、光透過部材５０と接着層ＣＣを介して接合されており、導光部材１０及び光透過部材５０の接合面と、接着層ＣＣとで構成される部分を、接合部ＣＮとする。なお、導光装置２０は、導光部材１０及び光透過部材５０となるべき基材が接合部ＣＮで接合された上で、接合された基材をディップ処理によってコーティングされることで形成されている。つまり、導光部材１０のハードコート層２７は、光透過部材５０とともに導光装置２０全体に設けられている。
【００４７】
なお、導光部材１０を構成する複数の面のうち、第１面Ｓ１１から第３面Ｓ１３までの面以外の面Ｓ１４，Ｓ１５については、少なくとも１つの自由曲面について、方向によって曲率の符号が異なっている点を少なくとも１つ含むものとなっている。これにより、映像光の導光を精密に制御しつつ、導光部材１０の小型化を可能にしている。
【００４８】
導光部材１０のうち本体１０ｓは、可視域で高い光透過性を示す樹脂材料で形成されており、例えば金型内に熱可塑性樹脂を注入・固化させることにより成形する。なお、本体１０ｓの材料としては、例えばシクロオレフィンポリマー等を用いることができる。本体１０ｓは、一体形成品とされているが、導光部材１０は、既に説明したように機能的に第１導光部分１１と第２導光部分１２とに分けて考えることができる。第１導光部分１１は、映像光ＧＬの導波及び射出を可能にするとともに、外界光ＨＬの透視を可能にする。第２導光部分１２は、映像光ＧＬの入射及び導波を可能にする。
【００４９】
第１導光部分１１において、第１面Ｓ１１は、映像光ＧＬを第１導光部分１１外に射出させる屈折面として機能するとともに、映像光ＧＬを内面側で全反射させる全反射面として機能する。第１面Ｓ１１は、眼ＥＹの正面に配されるものであり、既述のように、平面形状を成している。なお、第１面Ｓ１１は、本体１０ｓの表面に施されたハードコート層２７によって形成される面である。
【００５０】
第２面Ｓ１２は、本体１０ｓの表面であり、当該表面にハーフミラー層１５が付随している。このハーフミラー層１５は、光透過性を有する反射膜（すなわち半透過反射膜）である。ハーフミラー層（半透過反射膜）１５は、第２面Ｓ１２の全体ではなく、第２面Ｓ１２を主にＹ軸に沿った鉛直方向に関して狭めた部分領域（図示省略）上に形成されている。ハーフミラー層１５は、本体１０ｓの下地面のうち部分領域ＰＡ上に、金属反射膜や誘電体多層膜を成膜することにより形成される。ハーフミラー層１５の映像光ＧＬに対する反射率は、シースルーによる外界光ＨＬの観察を容易にする観点で、想定される映像光ＧＬの入射角範囲において１０％以上５０％以下とする。具体的な実施例のハーフミラー層１５の映像光ＧＬに対する反射率は、例えば２０％に設定され、映像光ＧＬに対する透過率は、例えば８０％に設定される。
【００５１】
第３面Ｓ１３は、映像光ＧＬを内面側で全反射させる全反射面として機能する。第３面Ｓ１３は、眼ＥＹの略正面に配されるものであり、第１面Ｓ１１と同様に、平面形状を成しており、かつ、第１面Ｓ１１と第３面Ｓ１３とが互いに平行な面であることにより、第１面Ｓ１１と第３面Ｓ１３とを通過させて外界光ＨＬを見たときに、視度が０になっており、特に、変倍も生じさせないものとなっている。なお、第３面Ｓ１３は、本体１０ｓの表面に施されたハードコート層２７によって形成される面である。
【００５２】
第２導光部分１２において、第４面Ｓ１４は、映像光ＧＬを内面側で全反射させる全反射面として機能する。第４面Ｓ１４は、映像光ＧＬを第２導光部分１２内に入射させる屈折面としても機能する。すなわち、第４面Ｓ１４は、外部から導光部材１０に映像光ＧＬを入射させる光入射面と、導光部材１０の内部において映像光ＧＬを伝搬させる反射面としての機能を兼用している。なお、第４面Ｓ１４は、本体１０ｓの表面に施されたハードコート層２７によって形成される面である。
【００５３】
第２導光部分１２において、第５面Ｓ１５は、本体１０ｓの表面上に無機材料で形成される光反射膜ＲＭを成膜することで形成され、反射面として機能する。
【００５４】
光透過部材５０は、既述のように導光部材１０と一体的に固定され１つの導光装置２０となっており、導光部材１０の透視機能を補助する部材（補助光学ブロック）である。光透過部材５０は、光学的な機能を有する側面として、第１透過面Ｓ５１と、第２透過面Ｓ５２と、第３透過面Ｓ５３とを有する。ここで、第１透過面Ｓ５１と第３透過面Ｓ５３との間に第２透過面Ｓ５２が配置されている。第１透過面Ｓ５１は、導光部材１０の第１面Ｓ１１を延長した面上にあり、第２透過面Ｓ５２は、当該第２面Ｓ１２に対して接着層ＣＣによって接合され一体化されている曲面であり、第３透過面Ｓ５３は、導光部材１０の第３面Ｓ１３を延長した面上にある。このうち第２透過面Ｓ５２と導光部材１０の第２面Ｓ１２とは、薄い接着層ＣＣを介しての接合によって一体化されるため、略同じ曲率の形状を有する。
【００５５】
光透過部材（補助光学ブロック）５０は、可視域で高い光透過性を示し、光透過部材５０の本体部分は、導光部材１０の本体１０ｓと略同一の屈折率を有する熱可塑性樹脂材料で形成されている。なお、光透過部材５０は、本体部分を導光部材１０の本体１０ｓに接合した後、接合された状態で本体１０ｓとともにハードコートによる成膜がなされて形成されるものである。つまり、光透過部材５０は、導光部材１０と同様、本体部分の表面にハードコート層２７が施されたものとなっている。第１透過面Ｓ５１と第３透過面Ｓ５３とは、本体部分の表面に施されたハードコート層２７によって形成される面である。
【００５６】
なお、防塵構造ＤＳを構成する部分のうち、第４面Ｓ１４に接触するシール部材ＳＰが可変性のある弾性部材であることにより、鏡筒３９によって覆われる領域から覆われない領域にわたって配置される面である部分被覆光学面ＣＳとしての第４面Ｓ１４が非軸対称な曲面すなわち自由曲面である場合にあっても、確実なシールを維持できる。
【００５７】
以下、虚像表示装置１００における映像光ＧＬ等の光路について具体的に説明する。映像表示素子（映像素子）８２から射出された映像光ＧＬは、投射レンズ３０を構成する各レンズ３１〜３３を通過することによって、収束されつつ、所期の非点収差が与えられ導光部材１０に設けた正の屈折力を有する第４面Ｓ１４に入射する。なお、この非点収差は、導光部材１０の各面を経る間に相殺されるものとなっており、最終的に初期の状態で観察者の眼に向けて映像光が射出される。
【００５８】
導光部材１０の第４面Ｓ１４に入射してこれを通過した映像光ＧＬは、収束しつつ進み、第２導光部分１２を経由する際に、比較的弱い正の屈折力を有する第５面Ｓ１５で反射され、第４面Ｓ１４に内側から再度入射して反射される。
【００５９】
第２導光部分１２の第４面Ｓ１４で反射された映像光ＧＬは、第１導光部分１１において、実質的に屈折力を有しない第３面Ｓ１３に入射して全反射され、実質的に屈折力を有しない第１面Ｓ１１に入射して全反射される。
【００６０】
ここで、映像光ＧＬは、第３面Ｓ１３を通過する前後において、導光部材１０中に中間像を形成する。この中間像の像面ＩＩは、映像表示素子８２の像面ＯＩに対応するものである。なお、図示の中間像の像面ＩＩは、第３面Ｓ１３から第４面Ｓ１４までにかけての映像光の光路のうち、第４面Ｓ１４よりも第３面Ｓ１３に近い側に形成されている。すなわち、中間像の像面ＩＩが第４面Ｓ１４から離間している。これにより、シール部材ＳＰによる多少の映像光の成分の吸収があったとしても、それによって視認される画像が暗くなったと感じさせない程度にすることができる。
【００６１】
第１面Ｓ１１で全反射された映像光ＧＬは、第２面Ｓ１２に入射するが、特にハーフミラー層１５に入射した映像光ＧＬは、このハーフミラー層１５を部分的に透過しつつも部分的に反射されて第１面Ｓ１１に再度入射して通過する。なお、ハーフミラー層１５は、ここで反射される映像光ＧＬに対して比較的強い正の屈折力を有するものとして作用する。また、第１面Ｓ１１は、これを通過する映像光ＧＬに対して屈折力を有しないものとして作用する。
【００６２】
第１面Ｓ１１を通過した映像光ＧＬは、観察者の眼ＥＹの瞳又はその等価位置に略平行光束として入射する。つまり、観察者は、虚像としての映像光ＧＬにより、映像表示素子（映像素子）８２上に形成された画像を観察することになる。
【００６３】
一方、外界光ＨＬのうち、導光部材１０の第２面Ｓ１２よりも＋Ｘ側に入射するものは、第１導光部分１１の第３面Ｓ１３と第１面Ｓ１１とを通過するが、この際、第３面Ｓ１３と第１面Ｓ１１とが互いに略平行な平面となっていることで、収差等をほとんど生じない。つまり、観察者は、導光部材１０越しに歪みのない外界像を観察することになる。同様に、外界光ＨＬのうち、導光部材１０の第２面Ｓ１２よりも−Ｘ側に入射するもの、つまり、光透過部材５０に入射したものは、これに設けた第３透過面Ｓ５３と第１透過面Ｓ５１とを通過する際に、第３透過面Ｓ５３と第１透過面Ｓ５１とが互いに略平行な平面となっていることで、収差等を生じない。つまり、観察者は、光透過部材５０越しに歪みのない外界像を観察することになる。さらに、外界光ＨＬのうち、導光部材１０の第２面Ｓ１２に対応する光透過部材５０に入射するものは、第３透過面Ｓ５３と第１面Ｓ１１とを通過する際に、第３透過面Ｓ５３と第１面Ｓ１１とが互いに略平行な平面となっていることで、収差等をほとんど生じない。つまり、観察者は、光透過部材５０越しに歪みの少ない外界像を観察することになる。なお、導光部材１０の第２面Ｓ１２と光透過部材５０の第２透過面Ｓ５２とは、略同一の曲面形状をともに有し、略同一の屈折率をともに有し、両者の隙間が略同一の屈折率の接着層ＣＣで充填されている。つまり、導光部材１０の第２面Ｓ１２や光透過部材５０の第２透過面Ｓ５２は、外界光ＨＬに対して屈折面として作用しない。
【００６４】
ただし、ハーフミラー層１５に入射した外界光ＨＬは、このハーフミラー層１５を部分的に透過しつつも部分的に反射されるので、ハーフミラー層１５に対応する方向からの外界光ＨＬは、ハーフミラー層１５の透過率に弱められる。その一方で、ハーフミラー層１５に対応する方向からは、映像光ＧＬが入射するので、観察者は、ハーフミラー層１５の方向に映像表示素子（映像素子）８２上に形成された画像とともに外界像を観察することになる。
【００６５】
導光部材１０内で伝搬されて第２面Ｓ１２に入射した映像光ＧＬのうち、ハーフミラー層１５で反射されなかったものは、光透過部材５０内に入射するが、光透過部材５０に設けた不図示の反射防止部によって導光部材１０に戻ることが防止される。つまり、第２面Ｓ１２を通過した映像光ＧＬが光路上に戻されて迷光となることが防止される。また、光透過部材５０側から入射してハーフミラー層１５で反射された外界光ＨＬは、光透過部材５０に戻されるが、光透過部材５０に設けた上述の不図示の反射防止部によって導光部材１０に射出されることが防止される。つまり、ハーフミラー層１５で反射された外界光ＨＬが光路上に戻されて迷光となることが防止される。
【００６６】
以上のように、本実施形態に係る虚像表示装置１００では、シースルー型の構成を有するものであって、左右に配置された一対の映像表示素子（映像素子）８２に映像信号を送信するケーブルＣＢを、左右一対の導光装置２０を支持するフレーム１０７に沿って配線することで、左右のうちいずれか一方（図示の例では左眼側の１箇所）にケーブルＣＢの端部を集約できる、すなわちケーブルを一本化することを可能とすることができる。この際に、カバーインサイド１０８のうちフレーム１０７に沿って延びるケーブルカバー部１０８ａにケーブルＣＢを収納することで、ケーブル配線に伴う大型化を抑制して装置全体をコンパクトにできる。
【００６７】
〔その他〕
以上各実施形態に即して本発明を説明したが、本発明は、上記の実施形態に限られるものではなく、その要旨を逸脱しない範囲において種々の態様において実施することが可能であり、例えば次のような変形も可能である。
【００６８】
上記実施形態では、ケーブルＣＢを左眼側の１箇所（ケーブル固定部ＣＲ）に収納するものとしているが、これを右眼側にする態様とすることもできる。また、ケーブルＣＢをテンプル１０４に近い後頭部側から取り出す態様とすることも可能である。
【００６９】
上記実施形態では、ケーブルＣＢを収納するカバーインサイド１０８とフレーム１０７とが嵌合構造を有することで、枠部１０２の内部についての防塵や防水を図るものとしているが、嵌合構造を有する場合に限らず、例えばネジ止め等種々の方法によってカバーインサイド１０８とフレーム１０７とを係合した状態にするものとしてもよい。
【００７０】
上記実施形態では、観察者に近い内側の部分を覆うカバーインサイド１０８を、ケーブルＣＢを覆うカバーとしているが、ケーブルＣＢを覆うカバーについては、これに限らず種々の態様が可能であり、例えば観察者から遠い外側の部分までを覆うような態様のカバーによってケーブルＣＢを覆うものとすることもできる。
【００７１】
上記の説明では、投射レンズが有する非軸対称非球面を１面としているが、投射レンズが２面以上の非軸対称非球面を有するものとすることも可能である。
【００７２】
上記の説明では、ハーフミラー層（半透過反射膜）１５が横長の矩形領域に形成されるとしたが、ハーフミラー層１５の輪郭は用途その他の仕様に応じて適宜変更することができる。また、ハーフミラー層１５の透過率や反射率も用途その他に応じて変更することができる。
【００７３】
上記の説明では、映像表示素子８２における表示輝度の分布を特に調整していないが、位置によって輝度差が生じる場合等においては、表示輝度の分布を不均等に調整することができる。
【００７４】
上記の説明では、画像表示装置８０として、透過型の液晶表示デバイス等からなる映像表示素子８２を用いているが、画像表示装置８０としては、透過型の液晶表示デバイス等からなる映像表示素子８２に限らず種々のものを利用可能である。例えば、反射型の液晶表示デバイスを用いた構成も可能であり、液晶表示デバイス等からなる映像表示素子８２に代えてデジタル・マイクロミラー・デバイス等を用いることもできる。また、画像表示装置８０として、ＬＥＤアレイやＯＬＥＤ（有機ＥＬ）などに代表される自発光型素子を用いることもできる。
【００７５】
上記実施形態では、透過型の液晶表示デバイス等からなる画像表示装置８０を用いているが、これに代えて走査型の画像表示装置を用いることもできる。
【００７６】
また、上記実施形態では、導光部材１０と補助光学ブロックである光透過部材５０とが装着者の眼ＥＹの前全体を覆うような構成となっているが、これに限らず、ハーフミラー層１５を有する曲面形状である第２面Ｓ１２を含んだ部分が眼ＥＹの一部のみを覆っている、すなわち眼前の一部を覆い、覆わない部分も存在する小型の構成としてもよい。
【００７７】
上記の説明では、ハーフミラー層１５が単なる半透過性の膜（例えば金属反射膜や誘電体多層膜）であるとしたが、ハーフミラー層１５は、平面又は曲面のホログラム素子に置き換えることができる。
【００７８】
上記の説明では、導光部材１０等が眼ＥＹの並ぶ横方向に延びているが、導光部材１０を縦方向に延びるように配置することもできる。この場合、導光部材１０は、直列的ではなく並列的に平行配置された構造を有することになる。
【符号の説明】
【００７９】
１０…導光部材、  １０ｓ…本体、  １１…導光部分、  １２…導光部分、  １２ｊ…先端部、  １５…ハーフミラー層、  ２０…導光装置、  ２０ａ…露出面、  ２０ｂ…露出面、  ２７…ハードコート層、  ３０…投射レンズ、  ３１-３３…光学素子（レンズ）、  ３１ａ…レンズ面、  ３９…鏡筒部、  ３９…鏡筒、  ３９ｔ…端部、  ４０…鼻受部、  ４０ａ…芯金、  ４３…被固定部、  ５０…光透過部材、  ７０…投射透視装置、  ８０…画像表示装置、  ８１…照明装置、  ８２…映像表示素子、  ８４…駆動制御部、  １００…虚像表示装置、  １００Ａ，１００Ｂ…表示装置、  １０１ａ，１０１ｂ…光学部材、  １０２…枠部、  １０４…テンプル部、  １０５ａ，１０５ｂ…像形成本体部、  １０５ｄ…外装部材、  １０７…フレーム、  １０７ａ…正面部、  １０７ｂ，１０７ｃ…側面部、  １０７ｇ…中央部、  １０７ｒ…孔、  １０８…カバーインサイド（カバー）、  １０８ａ…ケーブルカバー部、  １０８ｃ…収納溝部、  １０８ｄ…光学系カバー部、  １０８ｅ…上面部、  １０８ｆ…底面部、  １０８ｔ…側面部、  １０８ｇ…接続部、  １０８ｋ…中央部、  １０８ｍ，１０８ｎ…側壁部、  １０８ｒ，１０８ｐ…周辺部、  １０８ｘ…ガイド溝、  １０８ｙ…嵌合部、  ＣＡ…カメラ、  ＣＢ…ケーブル
【図１】
2015126336.tif 000003
【図２】
2015126336.tif 000004
【図３】
2015126336.tif 000005
【図４】
2015126336.tif 000006
【図５】
2015126336.tif 000007
【図６】
2015126336.tif 000008
【図７】
2015126336.tif 000009
【図８】
2015126336.tif 000010
【図９】
2015126336.tif 000011